(57)【要約】      （修正有）【課題】芯金を押し込む力を十分に釘に伝達させることができる釘の押し込み具を提供する。【解決手段】釘の押し込み具１００は筒体１１０と芯金とからなる。筒体１１０の内部には貫通孔１１４が形成されているとともに、筒体１１０の周壁には長孔１１５が形成されている。芯金は貫通孔１１４の中をスライド可能であり、かつ、芯金には長孔１１５の内部をスライドする突起１２３が形成されている。芯金は、突起１２３が長孔１１５に沿って長孔１１５の一端までスライドしたときには、筒体１１０の外部に突出する長さを有している。芯金の先端には、釘１３０の先端が係合可能な凹部１２４が形成されている。【選択図】図１
0003118496.tif 000002
【実用新案登録請求の範囲】
【請求項１】
筒体と芯金とからなる釘の押し込み具であって、
前記筒体の内部には、前記筒体の軸線方向に延び、かつ、前記筒体の少なくとも一端において開口している貫通孔が形成されているとともに、前記筒体の周壁には、前記軸線方向に延びる少なくとも一つの長孔が形成されており、
前記芯金は前記貫通孔の内部をスライド可能に形成され、かつ、前記芯金には前記長孔の内部をスライドする突起が形成されており、
前記芯金は、前記突起が前記長孔に沿って前記長孔の一端までスライドしたときには、前記筒体の内部に収納された状態になり、前記突起が前記長孔に沿って前記長孔の他端までスライドしたときには、前記筒体の外部に突出する長さを有しており、
前記芯金の先端には、前記釘の先端が係合可能な凹部が形成されている釘の押し込み具。
【請求項２】
前記筒体の内部には、前記芯金を前記筒体の外部から突出する方向とは反対の方向に付勢するコイルスプリングが配置されていることを特徴とする請求項１に記載の釘の押し込み具。
【考案の詳細な説明】
【技術分野】
【０００１】
本考案は、壁にフックを取り付ける際に、フックを壁に固定する釘、ピンその他の針状物を壁に押し込む押し込み具に関する。
【背景技術】
【０００２】
壁に掛け時計や絵画の額を掛ける際には、まず、壁にフックを取り付け、そのフックに掛け時計や絵画の額を吊り下げる。通常、フックを壁に取り付ける場合、釘やピンその他の針状物をフックに貫通させて突き刺し、さらに、壁に押し込むことにより、フックが壁に固定される。釘やピンその他の針状物を壁に押し込む作業の労力を低下させるために、これまでに様々な釘の押し込み具が提案されている。
【０００３】
その一例として、実開昭６３−９４６７９号公報に記載された釘の押し込み具を図６及び図７に示す。
【０００４】
図６は、同公報に記載された釘の押し込み具３０の断面図、図７は、釘の押し込み具３０の使用状況を示す断面図である。
【０００５】
図６に示すように、釘の押し込み具３０は、円柱形状の基部２と、基部２に螺合された円錐形状の先部３とからなる胴体１を備えている。
【０００６】
胴体１の内部には、基部２から先部３にかけて円柱状の空洞部４が形成されており、さらに、先部３には通孔５が形成されている。通孔５は空洞部４よりも細く、段部６を介して空洞部４に通じている。
【０００７】
通孔５には筒体７が嵌め込まれており、筒体７の後端には段部６に係合するフランジ８が形成されている。筒体７は、空洞部４内に配置されたコイルスプリング９により、基部２から先部３の方向に付勢されている。筒体７のフランジ８は段部６に係合し、筒体７が先部３から抜け出ないようにされている。さらに、筒体７は先部３よりも突出している。
【０００８】
筒体７は、コイルスプリング９の収縮により、胴体１の内部に全体が入り込むようになっている。
【０００９】
胴体１の内部には、先部３よりも僅かに突出する芯金１０が固着されている。芯金１０の先端は筒体７の内部に入り込んでいる。図６に示すように、芯金１０よりも筒体７の方が突出しており、筒体７の内部にその先端側から釘を挿入する。
【００１０】
以下、図７を参照して、フック１３を壁１４に取り付ける際の押し込み具３０の使用方法を説明する。
【００１１】
まず、筒体７の内部にその先端側から釘１５を挿入し、筒体７の先端をフック１３に形成された釘孔１２にあてがう。次いで、その状態から胴体１を壁１４に押し付ける。これにより、筒体７は胴体１の内部においてコイルスプリング９の張力に反して先部３から基部２の方向にスライドし、筒体７の内部に保持された釘１５は芯金１０により筒体７の外部に押し出され、フック１３の釘孔１２を通って壁１４の内部に押し込まれる。これにより、フック１３は壁１４に固定される。
【考案の開示】
【考案が解決しようとする課題】
【００１２】
図６及び図７に示した従来の釘の押し込み具３０には以下のような問題点があった。
【００１３】
従来の釘の押し込み具３０においては、釘１５を壁１４に対して押し込む際に、芯金１０は筒体７から外側には突出しないように構成されている。このため、釘１５を必ずしも深く壁１４に打ち込むことができなかった。
【００１４】
さらに、芯金１０の先端面は平面であるため、釘１５の端面と接した際に、面同士が滑り合ってずれてしまい、胴体１を押し込む力が釘１５に必ずしも十分には伝達されないことがあった。
【００１５】
本考案はこのような従来の釘の押し込み具における問題点に鑑みてなされたものであり、釘を十分に深く壁に打ち込むことができるとともに、胴体を押し込む力を十分に釘に伝達させることができる釘の押し込み具を提供することを目的とする。
【課題を解決するための手段】
【００１６】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている発明の技術的範囲の解釈に用いるべきものではない。
【００１７】
上記の目的を達成するため、本考案は、筒体（１１０）と芯金（１２０）とからなる釘の押し込み具（１００）であって、前記筒体（１１０）の内部には、前記筒体（１１０）の軸線方向に延び、かつ、前記筒体（１１０）の少なくとも一端において開口している貫通孔（１１４）が形成されているとともに、前記筒体（１１０）の周壁には、前記軸線方向に延びる少なくとも一つの長孔（１１５）が形成されており、前記芯金（１２０）は前記貫通孔（１１４）の内部をスライド可能に形成され、かつ、前記芯金（１２０）には前記長孔（１１５）の内部をスライドする突起（１２３）が形成されており、前記芯金（１２０）は、前記突起（１２３）が前記長孔（１１５）に沿って前記長孔（１１５）の一端までスライドしたときには、前記筒体（１１０）の内部に収納された状態になり、前記突起（１２３）が前記長孔（１１５）に沿って前記長孔（１１５）の他端までスライドしたときには、前記筒体（１１０）の外部に突出する長さを有しており、前記芯金（１２０）の先端には、前記釘（１３０）の先端が係合可能な凹部（１２４）が形成されている釘の押し込み具（１００、２００）を提供する。
【００１８】
前記筒体（１１０）の内部には、前記芯金（１２０）を前記筒体（１１０）の外部から突出する方向とは反対の方向に付勢するコイルスプリング（１４０）が配置されていることが好ましい。
【考案の効果】
【００１９】
本考案に係る釘の押し込み具における芯金は、突起が筒体の長孔に沿って長孔の端部までスライドしたときに、筒体の外部に突出する長さを有するように設定されている。このため、従来の釘の押し込み具とは異なり、釘を十分な深さまで壁の内部に打ち込むことができる。
【００２０】
さらに、芯金の先端には、釘の先端が係合可能な凹部が形成されている。このため、壁に釘を打ち込む際に、釘の先端が芯金の凹部に係合されることにより、釘と芯金との間の接触力を向上させることができる。従って、壁に向かって芯金を押し込んだときに、芯金を押し込む力が十分に釘に伝達され、押し込む力を無駄にすることなく、釘を壁に打ち込むことができる。
【考案を実施するための最良の形態】
【００２１】
（第一の実施形態）
図１（Ａ）は本考案の第一の実施形態に係る釘の押し込み具１００の側面図、図１（Ｂ）及び図３は釘の押し込み具１００の正面図である。また、図２は図１（Ａ）のＡ−Ａ線における断面図である。
【００２２】
図１（Ｂ）及び図２に示すように、本考案の第一の実施形態に係る釘の押し込み具１００は筒体１１０と芯金１２０とから構成されている。
【００２３】
図２に最もよく示されるように、筒体１１０は、第一の中空の円筒部１１１と、第二の中空の円筒部１１２と、第一の中空の円筒部１１１と第二の中空の円筒部１１２とを接続している段部１１３と、から構成されている。
【００２４】
第一の中空の円筒部１１１の一端１１１ａは開口しており、第一の中空の円筒部１１１の内部には一定直径の貫通孔が形成されている。
【００２５】
第二の中空の円筒部１１２の外径は第一の中空の円筒部１１１の外径よりも小さい。また、第一の中空の円筒部１１１と同様に、第二の中空の円筒部１１２の一端１１２ａは開口しており、第二の中空の円筒部１１２の内部には一定直径の貫通孔１１４が筒体１１０の軸線方向に形成されている。
【００２６】
第二の中空の円筒部１１２の内部に形成されている貫通孔１１４の直径は、第一の中空の円筒部１１１の内部に形成されている貫通孔よりも小さく、かつ、後述する芯金１２０の棒状体１２１の外径と等しい。このため、芯金１２０は貫通孔１１４の内部をスライドしながら移動することが可能である。
【００２７】
段部１１３は第一の中空の円筒部１１１から第二の中空の円筒部１１２に向かってテーパ形状をなした状態で第一の中空の円筒部１１１と第二の中空の円筒部１１２とを相互に接続している。
【００２８】
さらに、第一の中空の円筒部１１１の周壁には、筒体１１０の軸線に対して対称の位置に二つの長孔１１５（図１（Ａ）及び図２参照）が形成されている。図２に示すように、長孔１１５は筒体１１０の軸線方向に延びている。さらに、図１（Ａ）に示すように、長孔１１５は、筒体１１０の側面から見たときに、筒体１１０の軸線を中心として約９０度の広がり角度を有している。
【００２９】
芯金１２０は、棒状体１２１と、把っ手部１２２と、突起１２３と、から構成されている。
【００３０】
棒状体１２１は中実の金属の棒からなり、筒体１１０の第二の中空の円筒部１１２に形成された貫通孔１１４の内径と等しい外径を有している。このため、棒状体１２１は貫通孔１１４の内部をスライドすることが可能である。
【００３１】
棒状体１２１の一端（貫通孔１１４の内部に嵌合する端部とは反対側の端部）には、把っ手部１２２が形成されている。後述するように、ユーザーはこの把っ手部１２２を持って、押し込み具１００を壁に向かって押し込む。
【００３２】
また、棒状体１２１の外周には、棒状体１２１の軸線に対して対称の位置に二つの突起１２３が形成されている。この突起１２３は、筒体１１０の第一の中空の円筒部１１１の周壁に形成された二つの長孔１１５の各々に嵌合し、かつ、長孔１１５に沿ってスライド可能に形成されている。
【００３３】
すなわち、芯金１２０を構成する棒状体１２１は、その外周に形成された突起１２３が長孔１１５の内部をスライドすると同時に、筒体１１０の第二の中空の円筒部１１２に形成された貫通孔１１４の内部をスライドするように構成されている。
【００３４】
なお、図１（Ａ）に示すように、把っ手部１２２は突起１２３とは干渉しないような形状を有するように構成されている。
【００３５】
芯金１２０を構成する棒状体１２１は、突起１２３が長孔１１５に沿って長孔１１５の端部（筒体１１０の第二の中空の円筒部１１２から遠い方の端部）までスライドしたときには、筒体１１０の第二の中空の円筒部１１２の中に収納された状態になり（図１（Ｂ）及び図２参照）、突起１２３が長孔１１５に沿って長孔１１５の端部（筒体１１０の第二の中空の円筒部１１２に近い方の端部）までスライドしたときには、筒体１１０の第二の中空の円筒部１１２から外部に突出するような長さを有している（図３参照）。
【００３６】
図４は、棒状体１２１の先端を示す拡大図である。
【００３７】
図４に示すように、棒状体１２１の先端の端面には円弧状の凹部１２４が形成されている。後述するように、凹部１２４には釘の頭部が係合可能であるようになっている。
【００３８】
前述のように、図１（Ｂ）及び図３はともに釘の押し込み具１００の正面図であるが、図１（Ｂ）は、突起１２３が長孔１１５に沿って長孔１１５の端部（筒体１１０の第二の中空の円筒部１１２から遠い方の端部）までスライドしたときの正面図であり、図３は、突起１２３が長孔１１５に沿って長孔１１５の端部（筒体１１０の第二の中空の円筒部１１２に近い方の端部）までスライドしたときの正面図である。
【００３９】
以下、図１（Ｂ）、図２及び図３を参照して、本実施形態に係る釘の押し込み具１００の使用方法を説明する。
【００４０】
まず、使用前の状態では、突起１２３を長孔１１５の端部（筒体１１０の第二の中空の円筒部１１２から遠い方の端部）までスライドさせておく。図１（Ｂ）及び図２はこの状態を示す。
【００４１】
次いで、図１（Ｂ）及び図２に示すように、第二の中空の円筒部１１２に形成された貫通孔１１４の内部に外側から釘１３０を挿入する。この状態においては、釘１３０の少なくとも先端は筒体１１０の第二の中空の円筒部１１２から外側に露出している。
【００４２】
次いで、釘１３０の先端を、壁に仮に取り付けてあるフック（図７のフック１３参照）に形成されている釘孔（図７の釘孔１２参照）に当てる。
【００４３】
次いで、ユーザーは把っ手部１２２を持って、芯金１２０の全体を壁に向かって押し込む。
【００４４】
この際、芯金１２０を構成する棒状体１２１は、その外周に形成された突起１２３が長孔１１５の内部をスライドすると同時に、筒体１１０の第二の中空の円筒部１１２に形成された貫通孔１１４の内部を壁に向かってスライドする。
【００４５】
ユーザーが芯金１２０を壁に向かって押し込むにつれて、釘１３０は筒体１１０の外部に押し出され、釘１３０はフックの釘孔を通って、壁の内部に押し込まれる。
【００４６】
最終的に、突起１２３が長孔１１５に沿って長孔１１５の端部（筒体１１０の第二の中空の円筒部１１２に近い方の端部）までスライドすると（図３の状態）、釘１３０が全長にわたってフックの釘孔及び壁の内部に押し込まれる。
【００４７】
これにより、フックは釘１３０を介して壁に固定される。
【００４８】
釘１３０が壁に打ち込まれる際、釘１３０は貫通孔１１４の内部に保持されているため、さらに、釘１３０の頭部が棒状体１２１の先端に形成された凹部１２４に係合された状態で保持されている。このため、釘１３０の軸線がぶれることはほとんどなく、釘１３０は安定した状態で壁に打ち込まれる。
【００４９】
釘１３０を壁に打ち込んだ後は、突起１２３を長孔１１５に沿って長孔１１５の端部（筒体１１０の第二の中空の円筒部１１２から遠い方の端部）までスライドさせ、最初の状態（図１（Ｂ）及び図２に示す状態）に戻す。
【００５０】
本実施形態に係る釘の押し込み具１００によれば、次のような効果を得ることができる。
【００５１】
本実施形態に係る釘の押し込み具１００における芯金１２０の棒状体１２１は、突起１２３が長孔１１５に沿って長孔１１５の端部（筒体１１０の第二の中空の円筒部１１２に近い方の端部）までスライドしたときに、筒体１１０の外部に突出する長さを有するように設定されている。このため、従来の釘の押し込み具とは異なり、釘１３０を十分な深さまで壁の内部に打ち込むことができる。
【００５２】
さらに、芯金１２０の棒状体１２１の先端には、釘１３０の先端が係合可能な凹部１２４が形成されている。このため、壁に釘１３０を打ち込む際に、釘１３０の先端が凹部１２４に係合され保持されることにより、釘１３０と芯金１２０との間の接触力を向上させることができる。従って、壁に向かって芯金１２０を押し込んだときに、芯金１２０を押し込む力が十分に釘１３０に伝達され、押し込む力を無駄にすることなく、釘１３０を壁に打ち込むことができる。
【００５３】
（第二の実施形態）
図５は、本考案の第二の実施形態に係る釘の押し込み具２００の断面図である。なお、図５は第一の実施形態における図２に対応している。
【００５４】
本実施形態に係る釘の押し込み具２００は、第一の実施形態に係る釘の押し込み具１００と比較して、コイルスプリング１４０をさらに備えている。
【００５５】
図５に示すように、本実施形態に係る釘の押し込み具２００においては、筒体１１０の第一の中空の円筒部１１１と段部１１３との境界において、筒体１１０の内壁に環状の突起の形状をなしたバネ止め１１１ｂが形成されている。このバネ止め１１１ｂと突起１２３との間にはコイルスプリング１４０が配置されており、コイルスプリング１４０は突起１２３ひいては芯金１２０を、芯金１２０が筒体１１０の外部から突出する方向とは反対の方向、すなわち、第二の中空の円筒部１１２から第一の中空の円筒部１１１に向かう方向に付勢している。
【００５６】
第一の実施形態に係る釘の押し込み具１００において、釘１３０を壁に打ち込んだ後に、突起１２３を長孔１１５に沿って長孔１１５の端部（筒体１１０の第二の中空の円筒部１１２から遠い方の端部）までスライドさせ、最初の状態（図１（Ｂ）及び図２に示す状態）に戻していた。
【００５７】
これに対して、第二の実施形態に係る釘の押し込み具２００においては、ユーザーが芯金１２０を壁に向かって押し込む力を解除すると、コイルスプリング１４０の付勢力により、芯金１２０は図３に示した状態から図１（Ｂ）または図２に示す状態に自動的に復帰する。このため、第一の実施形態に係る釘の押し込み具１００とは異なり、ユーザーは芯金１２０を図３に示した状態から図１（Ｂ）または図２に示す状態まで戻す必要がなくなり、押し込み具２００の操作の利便性を向上させることができる。
【００５８】
なお、上述の第一及び第二の実施形態においては種々の変更が可能である。
【００５９】
上述の第一及び第二の実施形態においては、貫通孔１１４は筒体１１０の一部である第二の中空の円筒部１１２においてのみ形成されているが、貫通孔１１４は筒体１１０の全長にわたって形成することも可能である。貫通孔１１４は筒体１１０の全長にわたって形成した場合には、筒体１１０を第一の中空の円筒部１１１、段部１１３及び第二の中空の円筒部１１２に分けて形成する必要はなくなり、単に、棒状体１２１の外径に等しい内径を有する円筒として形成すればよい。
【００６０】
また、第一及び第二の実施形態においては、長孔１１５及び突起１２３はそれぞれ二つずつ形成されているが、長孔１１５及び突起１２３の数は二つには限定されない。長孔１１５及び突起１２３は少なくとも一つ形成されていればよく、長孔１１５及び突起１２３はそれぞれ三つ以上形成することも可能である。
【図面の簡単な説明】
【００６１】
【図１】図１（Ａ）は本考案の第一の実施形態に係る釘の押し込み具の側面図であり、図１（Ｂ）は同押し込み具の正面図である。
【図２】図１（Ａ）のＡ−Ａ線における断面図である。
【図３】本考案の第一の実施形態に係る釘の押し込み具の正面図である。
【図４】本考案の第一の実施形態に係る釘の押し込み具における棒状体の先端を示す拡大図である。
【図５】本考案の第二の実施形態に係る釘の押し込み具の断面図であり、第一の実施形態における図２に対応する図である。
【図６】従来の釘の押し込み具の断面図である。
【図７】図６に示した従来の釘の押し込み具の使用状況を示す断面図である。
【符号の説明】
【００６２】
１００  本考案の第一の実施形態に係る釘の押し込み具
１１０  筒体
１１１  第一の中空の円筒部
１１１ａ  第一の中空の円筒部の一端
１１１ｂ  バネ止め
１１２  第二の中空の円筒部
１１２ａ  第二の中空の円筒部の一端
１１３  段部
１１４  貫通孔
１１５  長孔
１２０  芯金
１２１  棒状体
１２２  把っ手部
１２３  突起
１２４  凹部
１３０  釘
１４０  コイルスプリング
２００  本考案の第二の実施形態に係る釘の押し込み具
【図１】
0003118496.tif 000003
【図２】
0003118496.tif 000004
【図３】
0003118496.tif 000005
【図４】
0003118496.tif 000006
【図５】
0003118496.tif 000007
【図６】
0003118496.tif 000008
【図７】
0003118496.tif 000009